(57)【要約】      （修正有）【課題】更に強固に組み付けることができる組立式パレットを提供する。【解決手段】長手方向に延在するとともに、一端面から他端面にかけて内部が中空に形成され並列するように配列される基台１０と、基台１０と交差する方向に延在し並列するように配列される基材２０とを組み付け部を介して組み付けて形成される組立式パレット１において、組み付け部は、穴部と突部を含み、穴部に突部を挿入することにより、基台１０に基材２０を組み付けるとともに、基台１０の中空内部側と基材２０に孔部を設け、軸体を中空内部に挿入しつつ孔部に挿入することにより、基台１０に基材２０を固定し、更に基台１０の端面を閉塞する閉塞具４０を有し、閉塞具４０の外面側を支持する支持部材５０を有する。【選択図】図１
2019026282.tif 000002
【特許請求の範囲】
【請求項１】
長手方向に延在するとともに、前記長手方向の一端面から他端面にかけて内部が中空に形成される基台と、前記基台と交差する方向に延在する基材とを前記基台の中空内部に軸体を挿入することにより組み付けて形成される組立式パレットにおいて、
前記基台の開放された一端面および他端面を閉塞する閉塞具を有するとともに、
前記閉塞具の外面側を支持する支持部材を有することを特徴とする組立式パレット。
【請求項２】
前記閉塞具は、開閉軸を有し、前記開閉軸を介して前記基台の端面に対し開閉自在に形成されることを特徴とする請求項１に記載の組立式パレット。
【請求項３】
前記支持部材は、板状かつコの字状に形成され、前記コの字状の凹部となる中間部の内面側で前記閉塞具の開閉軸を覆うように支持することを特徴とする請求項１または請求項２に記載の組立式パレット。
【請求項４】
前記基台は、並列するように複数配列され、
前記支持部材は、前記中間部の両端部から突出する前記コの字状の突出部の内面側で前記複数の基台のうち最前列にある基台の前面と最後列にある基台の後面を挟み込むように支持することを特徴する請求項１乃至請求項３のいずれか一項に記載の組立式パレット。
【請求項５】
前記閉塞具は、水平方向に延びるように凹状の凹部が形成され、前記凹部に前記開閉軸が設けられるとともに、前記支持部材の中間部の凹部が嵌め込まれることを特徴とする請求項１乃至請求項４のうちいずれか一項に記載の組立式パレット。
【請求項６】
前記凹部の深さ寸法は、前記支持部材の厚み寸法以上の寸法に設定されることを特徴とする請求項１乃至請求項５のうちいずれか一項に記載の組立式パレット。
【請求項７】
前記最前列にある基台の前面側および前記最後列にある基台の後面側のうち支持部材を支持する部分を凹状の凹部に形成し、前記凹部の深さ寸法を前記支持部材の厚み寸法以上の寸法に設定することを特徴とする請求項１乃至請求項６のうちいずれか一項に記載の組立式パレット。
【請求項８】
前記基材の裏面側に第１の凸部および第２の凸部を設け、前記基材を前記基台に組み付けたときに、前記第１の凸部は、前記基台の前面に当接し、前記第２の凸部は、前記基台の後面に当接することを特徴とする請求項１乃至請求項７のうちいずれか一項に記載の組立式パレット。
【請求項９】
前記基台にフォークリフトの差し込み爪が差し込まれる開口が形成され、前記開口の角部を湾曲状に形成することを特徴とする請求項１乃至請求項８のうちいずれか一項に記載の組立式パレット。
【請求項１０】
前記基台、前記基材、前記閉塞具、および前記支持部材をアルミニウムまたはアルミニウム合金で形成することを特徴とする請求項１乃至請求項９のうちいずれか一項に記載の組立式パレット。
【発明の詳細な説明】
【技術分野】
【０００１】
本発明は、組立式パレットに関し、特に長手方向に延在するとともに、長手方向の一端面から他端面にかけて内部が中空に形成される基台と、基台と交差する方向に延在する基材とを組み付けて形成される組立式パレットに関する。
【背景技術】
【０００２】
工場や倉庫等では荷役用のパレットが多数利用されている。このパレットには組立式のものが用いられることがあり、組立式パレットには、例えば特許文献１に開示されたものがある。
【０００３】
すなわち、特許文献１の組立式パレットは、一端面から他端面にかけて内部が中空に形成された基台と、基台と交差する方向に延在し基台の上面側および下面側に設けられる板状の基材と、を組み付け部を介して組み付けて形成されている。すなわち、組立式パレットは、基台の上面側および下面側に切り欠き状の穴部が形成され、かつ、基台の上面側の基材の下面側および下面側の基材の上面側に突部が形成されて、穴部を突部に挿入することにより、基台と基材を組み付けることとしている。そして、組立式パレットは、基台の中空内部と基材の突部に孔部が設けられ、軸体を中空内部に挿入しつつそれぞれの孔部に挿入することにより、基台に基材を固定し、基台の開放された端面は閉塞具により閉塞する構成となっている。これにより、基台と基材とが分離可能で、かつ、強固に組み付けることができる組立式パレットを提供している。
【先行技術文献】
【特許文献】
【０００４】
【特許文献１】韓国公開特許公報１０−２０１６−００１１５０９
【発明の概要】
【発明が解決しようとする課題】
【０００５】
しかしながら、上述した組立式パレットにおいては、基台の開放端面から閉塞具が外れたときには、中空内部に挿入された軸体が外部に排出される恐れがあり、このような場合にあっては、基台から基材が外れてしまい組立式パレットがばらける恐れがある。組立式パレットには荷重の重いものや危険物、毒物・劇物等を載せて運搬作業を行うことも多く、仮にばらけた場合には、重大な労働災害となる恐れがあり、更に強固に組み付けることができるパレットの提供が強く望まれていた。
【０００６】
本発明は、このような課題に鑑みてなされたものであり、更に強固に組み付けることができる組立式パレットを提供することを目的する。
【課題を解決するための手段】
【０００７】
上記の課題を解決するため、請求項１に係る組立式パレットの発明は、長手方向に延在するとともに、長手方向の一端面から他端面にかけて内部が中空に形成される基台と、基台と交差する方向に延在する基材とを基台の中空内部に軸体を挿入することにより組み付けて形成される組立式パレットにおいて、基台の開放された一端面および他端面を閉塞する閉塞具を有するとともに、閉塞具の外面側を支持する支持部材を有することを特徴とする。
【０００８】
本発明によれば、基台の開放された一端面および他端面を閉塞する閉塞具を有するとともに、閉塞具の外面側を支持する支持部材を有することとしたので、基台の端面から閉塞具が外れにくくなり、中空内部に挿入された軸体が外部に排出されることも少なく、基台と基材を更に強固に組み付けることができる。
【０００９】
閉塞具は、開閉軸を有し、開閉軸を介して基台の端面に対し開閉自在に形成されることとすれば、閉塞具を基台の端面に対し容易に開閉することができる（請求項２）。
【００１０】
支持部材は、板状かつコの字状に形成され、コの字状の凹部となる中間部の内面側で閉塞具の開閉軸を覆うように支持することとしたので、開閉具の開閉が予期せず行われることを防止することができる（請求項３）。
【００１１】
基台は、並列するように複数配列され、支持部材は、中間部の両端部から突出するコの字状の突出部の内面側で複数の基台のうち最前列にある基台の前面と最後列にある基台の後面を挟み込むように支持することとすれば、閉塞具を支持する支持部材の安定した支持状態を確保することができる（請求項４）。
【００１２】
閉塞具は、水平方向に延びるように凹状の凹部が形成され、凹部に開閉軸が設けられるとともに、支持部材の中間部の凹部が嵌め込まれることとすることができる（請求項５）。
【００１３】
凹部の深さ寸法は、支持部材の厚み寸法以上の寸法に設定されることとすれば、支持部材を基台から突出することなく設けることができるので、支持部材に外力が加えられることが少なくなり、基台から支持部材が脱落することを防止することができる（請求項６）。
【００１４】
最前列にある基台の前面側および最後列にある基台の後面側のうち支持部材を支持する部分を凹状の凹部に形成し、凹部の深さ寸法を支持部材の厚み寸法以上の寸法に設定することとすれば、更に一層支持部材を基台から突出することなく設けることができる（請求項７）。
【００１５】
基材の裏面側に第１の凸部および第２の凸部を設け、基材を基台に組み付けたときに、第１の凸部は、基台の前面に当接し、第２の凸部は、基台の後面に当接することとすれば、第１の凸部および第２の凸部により基材の前後方向の移動が規制されるので、仮に基台の端面から閉塞具が外れて、中空内部に挿入された軸体が外部に排出される場合にあっても、基台から基材が外れることを少なくすることができる（請求項８）。
【００１６】
基台にフォークリフトの差し込み爪の差し込まれる開口が形成され、開口の角部を湾曲状に形成することとすれば、組立式パレットに加えられる荷重が角部で分散され、その結果組立式パレットの強度を向上させることができる（請求項９）。
【００１７】
基台、基材、閉塞具、および支持部材をアルミニウムまたはアルミニウム合金で形成することとすることができる（請求項１０）。
【発明の効果】
【００１８】
本発明によれば、更に強固に組み付けることができる組立式パレットを提供することができる。
【図面の簡単な説明】
【００１９】
【図１】本発明の実施形態に係る組立式パレットの全体構成を示す図で、（ａ）は平面図、（ｂ）は側面図、（ｃ）は正面図である。
【図２】同組立式パレットの裏面側の構成を示す裏面図である。
【図３】同組立式パレットの基台の構成を示す図で、（ａ）は平面図、（ｂ）は側面図、（ｃ）は正面図である。
【図４】同組立式パレットの基材の構成を示す図で、（ａ）は平面図、（ｂ）は側面図、（ｃ）は裏面図、（ｄ）は正面図である。
【図５】同組立式パレットの軸体を示す図で、（ａ）は平面図、（ｂ）は側面図である。
【図６】同組立式パレットの閉塞具の構成を示す図で、（ａ）は中央に配置される基台の端面を閉塞する閉塞具の正面図、（ｂ）は閉塞した状態を示す側面図、（ｃ）は開放した状態を示す側面図、（ｄ）は前方に配置される基台の端面を閉塞する閉塞具、（ｅ）は後方に配置される基台の端面を閉塞する閉塞具である。
【図７】同組立式パレットの支持部材を示す図で、（ａ）は平面図、（ｂ）は左側面図、（ｃ）は右側面図、（ｄ）は正面図である。
【図８】同組立式パレットの組立方法を示す平面図である。
【図９】同組立式パレットの組立方法を示す図８に続く平面図である。
【図１０】同組立式パレットの組立方法を示す図９に続く平面図である。
【図１１】同組立式パレットの組立方法を示す図１０に続く図である。
【発明を実施するための形態】
【００２０】
以下、本発明の実施形態について図面を参照して詳細に説明する。図１は、本発明の実施形態に係る組立式パレットの全体構成を示す図、図２は、同組立式パレットの裏面側の構成を示す裏面図である。なお、以下の説明においては、複数並列する基台の手前側を前方、その反対側を後方、基台の閉塞具が設けられる側を側方とし、左右は図１を基準として定めるものとする。
【００２１】
これらの図を参照して組立式パレット１の全体構成の概要を説明すると、組立式パレット１は、基台１０、基材２０、軸体３０、閉塞具４０、および支持部材５０を具備している。組立式パレット１は、組み付け部を介して基台１０に基材２０を組み付けて形成されている。基台１０、基材２０、軸体３０、閉塞具４０、および支持部材５０は、アルミニウムまたはアルミニウム合金で形成されている。
【００２２】
基台１０は、図３に示すように、長手方向に延在するとともに、長手方向の一端面から他端面にかけて内部が中空に形成された箱型で断面が略矩形状をなしている。基台１０は、前後方向に並列するように複数より詳しくは３列配列されている。
【００２３】
基台１０の上面側（表面側）および下面側（裏面側）には、穴部１１が設けられている。穴部１１は、基台１０の延在方向と直交する方向すなわち基材２０の延在方向（前後方向）に沿って前後に貫通するように切り欠かれていてスリット状に形成されている。
【００２４】
基台１０の中空内部の端面側には、内側に突出する突出片１２が設けられ、突出片１２は、基台１０の中空内部の上部側および下部側のそれぞれに設けられている。この基台１０の突出片１２には、孔部１３が設けられている。
【００２５】
基台１０のうち最前列にある基台１０の前面側の左右の縁部と最後列にある基台１０の後面側の左右の縁部には、凹状の凹部１４が形成されている。この凹部１４は、後述する支持部材５０の突出部５２が嵌め込まれることにより、支持部材５０に支持される部分となる。この凹部１４の深さ寸法は、支持部材５０の厚み寸法以上の寸法に設定されている。凹部１４には、孔部１５が設けられている。
【００２６】
なお、基台１０の前側および後面の下部には開口１６が設けられている。開口１６は、基台１０の前面から後面にかけて貫通するように形成され、フォークリフトの差し込み爪が差し込まれる。開口１６は、角部１６ａが湾曲状により詳しくは円弧状に形成されている。
【００２７】
基材２０は、図４に示すように、板状をなし、基台１０と交差する方向により詳しくは直交する方向に延在し並列するように複数配列されている。基材２０は、基台１０の上面側に６列、下面側には両側部に２列設けられている。
【００２８】
基材２０の表面側には、該基材２０の延在方向に沿って複数（３本）の溝部２０´が形成されており、溝部２０´は、組立式パレット１に載置される物品の滑り防止構造として機能する。
【００２９】
基材２０の裏面側つまり上面側の基材２０の下面側および下面側の基材２０の上面側には、突部２１がそれぞれ設けられており、突部２１は、基台１０の穴部１１と対応するように基材２０の延在方向に沿って細板状に２列に延びている。この基材２０の突部２１には、基台１０の突出片１２の孔部１３と対応する位置に孔部２２が設けられている。
【００３０】
すなわち、上述した組み付け部は、基台１０の穴部１１と基材２０の突部２１を含んでおり、穴部１１を突部２１に嵌め込んで挿入することにより、基台１０に基材２０を組み付けることができる。
【００３１】
なお、上面側の基材２０の下面側および下面側の基材２０の上面側には、それぞれ２列の突部２１間に第１の凸部２４および第２の凸部２５が設けられている。すなわち、基材２０を基台１０に組み付けたときに、第１の凸部２４は、最後列の基台１０の前面に当接し、第２の凸部２５は、最前列の基台１０の後面に当接するように構成されている。
【００３２】
軸体３０は、図５に示すように、丸棒状に形成されており、基台１０の長手方向に延びている。軸体３０を、中空内部に挿入しつつそれぞれの孔部１３，２２（基台１０の孔部１３、基材２０の孔部２２）に挿入することにより、基台１０に基材２０を固定することができる。軸体３０は、基台１０の中空内部において上位置と下位置のそれぞれに挿入される。
【００３３】
閉塞具４０は、図６に示すように、基台１０の開放された一端面および他端面の形状に対応するように正面から見て略矩形状に形成されている。
【００３４】
閉塞具４０は、基台１０の開放された一端面および他端面に嵌め込まれて前記端面を閉塞するとともに、上下方向の中間部に水平方向に延びる開閉軸４１を有し、開閉軸４１を介して上部側閉塞部４２および下部側閉塞部４３に分割されている。これにより、閉塞具４０は、基台１０の上部側および下部側の開放された端面に対し上部側閉塞部４２および下部側閉塞部４３がそれぞれ独立して開閉可能に形成されている。上部側閉塞部４２の位置は上部側に挿入される軸体３０の位置に対応し、下部側閉塞部４３の位置は下部側に挿入される軸体３０の位置に対応する。
【００３５】
この閉塞具４０の外面側（正面側）には、上下方向の中間部において、水平方向に貫通するように凹状の凹部４４が形成されており、凹部４４の上下方向の中間部に開閉軸４１が設けられている。この凹部４４には、後述する支持部材５０の中間部の凹部５１が嵌め込まれる。また、最前列に配置される基台１０の端面を閉塞する閉塞具４０の右側面（手前側の面）、最後列に配置される基台１０の端面を閉塞する閉塞具４０の左側面（奥側の面）にも凹部４５が形成されており、これら凹部４５には、後述する支持部材５０の両端部の突出部５２が嵌め込まれる。閉塞具５０のこの凹部４４,４５の深さ寸法は、支持部材５０の厚み寸法以上の寸法に設定されている。
【００３６】
なお、閉塞具４０は、基台１０の端面に挿入され嵌め込まれる部分がゴムやシリコン樹脂等の弾力性のある材料で形成されることとしてもよい。このように閉塞具４０を形成することにより、基台１０の端面を閉塞するときには、その形状を基台１０の端面の形状に対応するように変形させながら嵌め込むことができる。
【００３７】
支持部材５０は、図７に示すように、閉塞具４０の端面の外面側（正面側）を外方側から支持する。支持部材５０は、板状かつコの字状に形成されており、閉塞具４０の凹部４４，４５および基台１０の凹部１４に嵌め込まれる。
【００３８】
すなわち、支持部材５０は、コの字状の凹部５１となる中間部の内面側で閉塞具４０の開閉軸４１を覆うように支持し、中間部の両端部から突出するコの字状の突出部５２の内面側で複数の基台１０のうち最前列にある基台１０の前面と最後列にある基台１０の後面を挟み込むように支持する。支持部材５０のコの字状の突出部５２の内面側には突部５３が設けられており、突部５３を基台１０の凹部１４に形成される孔部１５に嵌め込むことにより、支持部材５０を基台１０に固定することができる。
【００３９】
以上のように構成された組立式パレット１の組立方法を説明すると次のようになる。
すなわち、図８に示すように、基台１０を前後方向に並べ、基台１０の穴部１１に基材２０の突部２１を嵌め込んで挿入し、基台１０に基材２０を組み付ける。
【００４０】
続いて、図９に示すように、基台１０の孔部１３および基材２０の孔部２２に軸体３０を挿入し、基台１０に基材２０を固定する。
次いで、図１０に示すように、基台１０の両端面に閉塞具４０を嵌め込んで閉塞する。これにより、軸体３０が外部に排出されることを防止することができる。
【００４１】
次に、図１１に示すように、支持部材５０を、閉塞具４０の凹部４４，４５および基台１０の凹部１４に嵌め込むとともに、支持部材５０の突部５３を基台１０の凹部１４の孔部１５に嵌め込むことにより、図１に示す組立式パレット１が形成される。
【００４２】
以上説明したように、本実施形態にあっては、長手方向に延在するとともに、長手方向の一端面から他端面にかけて内部が中空に形成され並列するように配列される複数の基台１０と、基台１０と交差する方向に延在し並列するように配列される複数の板状の基材２０とを組み付け部を介して組み付けて形成される組立式パレット１において、組み付け部６０は、穴部１１と突部２１を含み、穴部１１に突部２１を挿入することにより、基台１０に基材２０を組み付けるとともに、基台１０の中空内部側と基材２０にそれぞれ孔部１３，２２を設け、基台１０の長手方向に沿って延びる軸体３０を中空内部に挿入しつつそれぞれの孔部１３，２２に挿入することにより、基台１０に基材２０を固定し、更に基台１０の開放された一端面および他端面を閉塞する複数の閉塞具４０を有するとともに、閉塞具４０の外面側を支持する支持部材５０を有することとしたので、基台１０の端面から閉塞具４０が外れにくくなり、中空内部に挿入された軸体３０が外部に排出されることも少なく、基台１０と基材２０を更に強固に組み付けることができる。
【００４３】
また、閉塞具４０は、開閉軸４１を有し、開閉軸４１を介して分割しつつ基台１０の端面に対し開閉自在に形成されることとしたので、閉塞具４０を基台１０の端面に対し容易に開閉することができる。また、閉塞具４０を開閉軸４１を介して分割することとしたので、一方が外れても他方は嵌め込まれた状態を確保することができ、軸体３０が外部に排出されることを更に少なくすることができる。
【００４４】
更に、支持部材５０は、板状かつコの字状に形成され、コの字状の凹部５１となる中間部の内面側で複数の閉塞具４０の開閉軸４１を覆うように支持することとしたので、開閉具４０の開閉が予期せず行われることを防止することができる。
【００４５】
更にまた、支持部材５０は、中間部の両端部から突出するコの字状の突出部５２の内面側で複数の基台１０のうち最前列にある基台１０の前面と最後列にある基台１０の後面を挟み込むように支持することとしたので、閉塞具４０を支持する支持部材５０の安定した支持状態を確保することができる。
【００４６】
また更に、基台１０の凹部１４の深さ寸法は、支持部材５０の厚み寸法以上の寸法に設定されることとしたので、支持部材５０を基台１０から突出することなく設けることができる。これにより、支持部材５０に外力が加えられることが少なくなり、基台１０から支持部材５０が脱落することを防止することができる。
【００４７】
また、最前列にある基台１０の前面側および最後列にある基台１０の後面側のうち支持部材５０を支持する部分を凹状に形成し、凹状部分の深さ寸法を支持部材５０の厚み寸法以上の寸法に設定することとしたので、更に一層支持部材５０を基台１０から突出することなく設けることができる。
【００４８】
更に、基材２０の下面側に第１の凸部２４および第２の凸部２５を設け、基材２０を基台１０に組み付けたときに、第１の凸部２４は、基台１０の前面に当接し、第２の凸部２５は、基台１０の後面に当接することとしたので、第１の凸部２４および第２の凸部２５により基材２０の前後方向の移動が規制される。これにより、仮に基台１０の端面から閉塞具４０が外れて、中空内部に挿入された軸体３０が外部に排出される場合にあっても、基台１０から基材２０が外れることを少なくすることができる。
【００４９】
また、基台１０のフォークリフトの差し込み口として機能する開口１６は、角部１６ａが湾曲状により詳しくは円弧状に形成されているので、組立式パレット１に加えられる荷重が角部で分散され、その結果組立式パレット１の強度を向上させることができる。
【００５０】
なお、本発明は上述した実施形態に限定されることなく特許請求の範囲を逸脱しない範囲内において各種の変形実施、応用実施が可能であることは勿論である。
【００５１】
すなわち、上述した実施形態にあっては、基材２０を基台１０の上面側および下面側のいずれにも設けることとしているが、上面側のみに設けることとしても所要の効果を奏することができる。また、基台１０の穴部１１と基材２０の突部２１により組み付け部を形成することとしているが、所要に基台１０に突部を形成し基材２０に穴部を形成して組み付け部と構成することとしてもよい。
【産業上の利用可能性】
【００５２】
本発明は、長手方向に延在するとともに、長手方向の一端面から他端面にかけて内部が中空に形成される基台と、基台と交差する方向に延在する基材とを組み付け部を介して組み付けて形成される組立式パレットを提供してパレットを製造・販売を業とする者およびこれに関連する業界の発展に大きく貢献する。
【符号の説明】
【００５３】
１：組立式パレット
１０：基台
１１：穴部
１２：突出片
１３：孔部
１４：凹部
１５：孔部
１６：開口
１６ａ：角部
２０：基材
２０´：溝部
２１：突部
２２：孔部
２４：第１の凸部
２５：第２の凸部
３０：軸体
４０：閉塞具
４１：開閉軸
４２：上部側閉塞部
４３：下部側閉塞部
４４，４５：凹部
５０：支持部材
５１：凹部
５２：突出部
５３：突部
【図１】
2019026282.tif 000003
【図２】
2019026282.tif 000004
【図３】
2019026282.tif 000005
【図４】
2019026282.tif 000006
【図５】
2019026282.tif 000007
【図６】
2019026282.tif 000008
【図７】
2019026282.tif 000009
【図８】
2019026282.tif 000010
【図９】
2019026282.tif 000011
【図１０】
2019026282.tif 000012
【図１１】
2019026282.tif 000013
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
長手方向に延在するとともに、前記長手方向の一端面から他端面にかけて内部が中空に形成される基台と、前記基台と交差する方向に延在する基材とを前記基台の中空内部に軸体を挿入することにより組み付けて形成される組立式パレットにおいて、
前記基台の開放された一端面および他端面を閉塞する閉塞具を有するとともに、
前記閉塞具の外面側を支持する支持部材を有し、
前記閉塞具は、開閉軸を有し、前記開閉軸を介して前記基台の端面に対し開閉自在に形成されることを特徴とする組立式パレット。
【請求項２】
長手方向に延在するとともに、前記長手方向の一端面から他端面にかけて内部が中空に形成される基台と、前記基台と交差する方向に延在する基材とを前記基台の中空内部に軸体を挿入することにより組み付けて形成される組立式パレットにおいて、
前記基台の開放された一端面および他端面を閉塞する閉塞具を有するとともに、
前記閉塞具の外面側を支持する支持部材を有し、
前記支持部材は、板状かつコの字状に形成され、前記コの字状の凹部となる中間部の内面側で前記閉塞具の開閉軸を覆うように支持することを特徴とする組立式パレット。
【請求項３】
前記基台は、並列するように複数配列され、
前記支持部材は、前記中間部の両端部から突出する前記コの字状の突出部の内面側で前記複数の基台のうち最前列にある基台の前面と最後列にある基台の後面を挟み込むように支持することを特徴する請求項２に記載の組立式パレット。
【請求項４】
前記閉塞具は、水平方向に延びるように凹状の凹部が形成され、前記閉塞具の凹状の凹部に前記開閉軸が設けられるとともに、前記支持部材の中間部の凹部が嵌め込まれることを特徴とする請求項３に記載の組立式パレット。
【請求項５】
前記閉塞具の凹状の凹部の深さ寸法は、前記支持部材の厚み寸法以上の寸法に設定されることを特徴とする請求項４に記載の組立式パレット。
【請求項６】
前記最前列にある基台の前面側および前記最後列にある基台の後面側のうち支持部材を支持する部分を凹状の凹部に形成し、前記基台の凹状の凹部の深さ寸法を前記支持部材の厚み寸法以上の寸法に設定することを特徴とする請求項５に記載の組立式パレット。
【請求項７】
前記基台にフォークリフトの差し込み爪が差し込まれる開口が形成され、前記開口の角部を湾曲状に形成することを特徴とする請求項１乃至請求項６のうちいずれか一項に記載の組立式パレット。
【請求項８】
前記基台、前記基材、前記閉塞具、および前記支持部材をアルミニウムまたはアルミニウム合金で形成することを特徴とする請求項１乃至請求項７のうちいずれか一項に記載の組立式パレット。